(57)【要約】  【課題】小型のファンを使用することができ、且つ収納室内の温度を制御し易い冷蔵庫を提供する。    【解決手段】各収納室２、３、４、５の奥側（裏面側）には、冷却風路１０が設けられ、当該冷却風路１０内に冷却器１１、冷却器ファン１６が内蔵されている。冷却風路１０と、各収納室２、３、４、５との間には、収納室の奥壁１２、１３、１４、１５があり、各奥壁１２、１３、１４、１５に冷風吐出口が設けられ、当該冷風吐出口に送風ファン１７〜１９が取り付けられている。送風ファン１７〜１９の個数は、要求される冷風量に合わせて選定されている。送風ファン１７〜１９は、風量制御機構２０としてダンパー２１〜２３が一体化されている。【選択図】図１
2006300472.tif 000002
【特許請求の範囲】
【請求項１】
壁面によって区画された複数の収納室と、冷却器と、前記冷却器と前記収納室とを連通する冷却風路と、前記冷却風路内の前記冷却器の近傍に設けられた冷却器ファンと、複数の送風ファンと、複数の風量制御機構を備え、前記送風ファンを前記収納室と前記冷却風路を仕切る壁面の吐出口または吸込口に設け、前記風量制御機構は前記収納室と前記冷却風路の間の連通を断続可能であることを特徴とした冷蔵庫。
【請求項２】
前記冷却器ファンと前記送風ファンの少なくとも一つ以上が同時に動作することを特徴とした請求項１に記載の冷蔵庫。
【請求項３】
前記送風ファンは、前記冷却器ファンによる送風だけでは必要な風量が得られない収納室にのみ設けられたことを特徴とした請求項１または請求項２に記載の冷蔵庫。
【請求項４】
前記送風ファンが一つだけでは必要な風量を得られない収納室、または充分に冷気を攪拌することができない収納室には、前記送風ファンを複数設けることを特徴とした請求項１から請求項３のいずれか一項に記載の冷蔵庫。
【請求項５】
前記送風ファンは軸流ファンであり、前記風量制御機構は前記送風ファンに一体に設けられていることを特徴とした請求項１から請求項４のいずれか一項に記載の冷蔵庫。
【請求項６】
前記送風ファンはシロッコファンであり、前記風量制御機構は前記送風ファンに一体に設けられていることを特徴とした請求項１から請求項４のいずれか一項に記載の冷蔵庫。
【請求項７】
前記風量制御機構は前記送風ファンの吐出側に設けられていることを特徴とした請求項５または請求項６に記載の冷蔵庫。
【請求項８】
前記風量制御機構は前記送風ファンの吸込側に設けられていることを特徴とした請求項５または請求項６に記載の冷蔵庫。
【請求項９】
前記風量制御機構は前記送風ファンが回転するときに前記収納室と前記冷却風路の間を連通させ、前記送風ファンが停止している時には前記収納室と前記冷却風路の間を遮断することを特徴とした請求項１から請求項８のいずれか一項に記載の冷蔵庫。
【請求項１０】
前記送風ファンは回転数を変更することができることを特徴とした請求項１から請求項９のいずれか一項に記載の冷蔵庫。
【請求項１１】
前記風量制御機構は前記送風ファンの回転数に応じて風量を変化させることを特徴とした請求項１０に記載の冷蔵庫。
【請求項１２】
前記送風ファンまたは前記風量制御機構に温度検知センサー及び検知温度に基づいて前記送風ファンを駆動する駆動回路を備え、前記送風ファン、または前記風量制御機構、または前記送風ファンと前記風量制御機構の両者は外部からの制御信号を受ける必要なく自律動作することを特徴とした請求項１から請求項１１のいずれか一項に記載の冷蔵庫。
【発明の詳細な説明】
【技術分野】
【０００１】
本発明は冷蔵庫に関するものであり、特に内部が複数の収納室に区画された冷蔵庫に関するものである。
【背景技術】
【０００２】
今日、冷蔵庫は一般家庭に広く普及している。代表的な形態の冷蔵庫は、圧縮機、凝縮器、減圧器、冷却器によって構成される冷凍サイクルを備え、冷却器で発生する冷風を庫内に導入して庫内を冷却する強制対流式のものである。
【０００３】
一般にこのような強制対流式の冷蔵庫は、食品等の収納室の奥側に冷風吐出口が設けられ、当該吐出口と連通した冷風通路内に前記した冷却器が設置されている。冷風通路内には送風機が設けられ、収納室内の空気を冷風通路に導入し、冷却器に通過させて空気を冷却した後収納室に冷気として対流させている。
【０００４】
また家庭用冷蔵庫には、特許文献１に開示された様に、庫内を機能別に区画したものが多い。図８は、特許文献１に記載された従来の冷蔵庫の断面図である。
【０００５】
家庭用冷蔵庫では、例えば図８の様に冷蔵庫１００の庫内を冷蔵室１０１、低温室１０２、冷凍室１０３、野菜室１０４という様に４個の収納室に区画している。そしてこれらの各収納室の奥側（裏面側）に複数系統の冷風通路１０６が設けられ、各収納室と冷風通路１０５とを仕切る壁に開口（冷風吐出口）１０６，１０７，１０８，１０９が設けられている。なお作図における断面位置の関係上、図８には単一の冷風通路だけが図示されているが、実際には各収納室に至る冷風通路１０５が独立している例も多々ある。
【０００６】
また冷風通路１０５内には電気的な動力によって開閉されるダンパー１１０，１１１，１１２，１１３が内蔵されており、冷風通路１０５を流れる冷風を各収納室に断続的に供給している。冷風通路１０５には前記した様に冷却器１１４があり、この冷却器１１４の近傍には送風機１１５が設けられている。従来技術の冷蔵庫１００においては、送風機１１５は一台である。
【０００７】
従来技術の冷蔵庫では、各収納庫の温度を監視し、収納庫内の温度が所望の範囲となるように各収納庫に連通するダンパー１１０〜１１３を開閉制御して冷風を収納室に吐出する。
【特許文献１】特開２０００−２０５７３８号公報
【発明の開示】
【発明が解決しようとする課題】
【０００８】
従来技術の冷蔵庫では、前記した様に冷却風路内に冷却器ファンが設けられている。従来技術の冷蔵庫では冷却風路内に設けられたファンは一台であり、一台のファンによってすべての収納室に冷風を供給している。また、各収納室は、当然ながら設定温度や容積が異なるので、各収納室の風量を調整する風量制御機構の動作頻度はまちまちである。そのために複数の収納室に設けられた風量制御機構が同時に連通させることも珍しくない。
【０００９】
そのため冷却器ファンは複数の収納室に同時に冷風を供給することができる様に、相当の風量を発生させることができるものでなければならない。
【００１０】
また、風量制御機構の前後においては、冷却風路側を収納室側に比べて正圧に保たなければならず、且つ冷蔵庫が大型化して各収納室同士の間隔が広がる傾向にあるため、冷却風路の距離は長くなり、冷却器ファンは相当の静圧発生能力を持つ必要がある。
【００１１】
また、冷却器ファンは、複数の風量制御機構が同時に連通されている状態であるにせよ、例え風量制御機構が一つしか連通しないような制御方式であるにせよ、冷却器から最も遠い収納室（または最も冷気の供給が困難な収納室）へ相当の風量を発生させることができるものが選択されている。
【００１２】
よって、特許文献１の冷蔵庫は大風量且つ強力な静圧発生能力を持つファンが必須である。また、大風量且つ強力な静圧発生能力を持つファンは一般に騒音が高いため騒音対策を施す必要もある。この様なファンは、高能力であることに加えて、さらに騒音対策を施されているためコスト面でも割高になってしまう。
【００１３】
また、冷却器から最も遠い収納室（または最も冷気の供給が困難な収納室）へ相当の風量を発生させることができるファンの選択は、冷却器からある程度近い収納室（または冷気の供給がある程度容易な収納室）にとっては、必要分を大幅に上回る風量を供給できるものであり、最適なファンの選択であるとは言えない。
【００１４】
本発明は、従来技術の問題点に基づき、小型のファンを使用することができ、且つ収納室内の温度を制御し易い冷蔵庫を開発することを課題とするものである。
【課題を解決するための手段】
【００１５】
上記従来の課題を解決するために、本発明の冷蔵庫は、壁面によって区画された複数の収納室と、冷却器と、前記冷却器と前記収納室とを連通する冷却風路と、前記冷却風路内の前記冷却器の近傍に設けられた冷却器ファンと、複数の送風ファンと、複数の風量制御機構を備え、前記送風ファンを前記収納室と前記冷却風路を仕切る壁面の吐出口または吸込口に設け、前記風量制御機構は前記収納室と前記冷却風路の間の連通を断続可能であることを特徴とした冷蔵庫である。
【発明の効果】
【００１６】
これにより、小型のファンを採用することができ、ファンが発生する騒音も小さい。よって大風量且つ強力な静圧発生能力を持つ冷却器ファンを使用した従来の冷蔵庫と比較して安価に構成することができる。また、それぞれの収納室に最適な風量を供給することができる。
【００１７】
また、複数の風量制御機構を有し、各収納室と冷却風路の間の連通を断続可能にすることによって、冷気を送風する必要のない収納室を風量制御機構によって閉鎖することで、収納室の空気が冷却風路側に吸引されることを防止するため、収納室の温度も安定する。
【発明を実施するための最良の形態】
【００１８】
請求項１に記載の発明は、壁面によって区画された複数の収納室と、冷却器と、前記冷却器と前記収納室とを連通する冷却風路と、前記冷却器の近傍の前記冷却風路内に設けられ前記冷却器周辺の冷気を送風する冷却器ファンと、複数の送風ファンと、複数の風量制御機構を備え、前記送風ファンを前記収納室と前記冷却風路を仕切る壁面の吐出口または吸込口に設け、前記風量制御機構は前記収納室と前記冷却風路の間の連通を断続可能であることとしたものであり、これにより、小型のファンを採用することができ、ファンが発生する騒音も小さいため、大風量且つ強力な静圧発生能力を持つ冷却器ファンを使用した従来の冷蔵庫と比較して安価に構成することができる。また、それぞれの収納室に最適な風量を供給することができる。
【００１９】
また、複数の風量制御機構を有し、各収納室と冷却風路の間の連通を断続可能にすることによって、冷気を送風する必要のない収納室を風量制御機構によって閉鎖することで、収納室の空気が冷却風路側に吸引されることを防止するため、収納室の温度も安定する。
【００２０】
請求項２に記載の発明は、請求項１の構成において、前記冷却器ファンと前記送風ファンの少なくとも一つ以上が同時に動作することとしたものであり、冷却器ファンは小型のものを採用することができ、冷却器から遠い収納室（または冷気の供給が困難な収納室）へはこの冷却器ファンに加えて、収納室の壁面の吐出口に取り付けた送風ファンを同時に動作し冷気を供給することで、冷却器ファンと送風ファンは冷却風路内に直列に構成されたこととなり、収納室へ充分な冷気を供給することができる。
【００２１】
請求項３に記載の発明は、請求項１または請求項２の構成において、前記送風ファンは、前記冷却器ファンによる送風だけでは必要な風量が得られない収納室にのみ設けられたこととしたものであり、冷却器ファンは小型のものを採用することができ、冷却器からある程度近い収納室（または冷気の供給がある程度容易な収納室）へはこの冷却器ファンで冷気を供給することで、送風ファンの使用数を最低限にすることができる。
【００２２】
請求項４に記載の発明は、請求項１から請求項３のいずれか一項に記載の構成に加えて、前記送風ファンが一つだけでは必要な風量を得られない収納室、または充分に冷気を攪拌することができない収納室には、前記送風ファンを複数設けることとしたものであり、複数の送風ファンを並列に設けることで収納室への風量を増加させることができる。また、収納室内の空気を攪拌する能力も向上し、収納室内の温度分布を均一にすることができる。
【００２３】
請求項５に記載の発明は、請求項１から請求項４のいずれか一項に記載の構成に加えて、前記送風ファンは軸流ファンであり、前記風量制御機構は前記送風ファンに一体に設けられていることとしたものであり、コストや騒音の観点から軸流ファンを使用し、さらに風量制御機構を一体化することで、低コスト化を図ることができる。
【００２４】
請求項６に記載の発明は、請求項１から請求項４のいずれか一項に記載の構成に加えて、前記送風ファンはシロッコファンであり、前記風量制御機構は前記送風ファンに一体に設けられていることとしたものであり、静圧を重視してシロッコファンを使用し、さらに風量制御機構を一体化することで、低コスト化を図ることができる。
【００２５】
請求項７に記載の発明は、請求項５または請求項６に記載の構成において、前記風量制御機構は前記送風ファンの吐出側に設けられていることとしたものであり、風圧による風量制御機構の動作、または風量制御機構による風向きの調整などを考えた設計が可能となる。
【００２６】
請求項８に記載の発明は、請求項５または請求項６に記載の構成において、前記風量制御機構は前記送風ファンの吸込側に設けられていることとしたものであり、吹出し側の風量制御機構による風路抵抗がなくなることで、吐出面からの均一な送風を可能とし且つ吸込み側の風量制御機構で風量の調整を行うことができる。
【００２７】
請求項９に記載の発明は、請求項１から請求項８のいずれか一項に記載の構成において、前記風量制御機構は前記送風ファンが回転するときに前記収納室と前記冷却風路の間を連通させ、前記送風ファンが停止している時には前記収納室と前記冷却風路の間を遮断することとしたものであり、冷気を送風する必要のない収納室を風量制御機構によって閉鎖することで、収納室の空気が冷却風路側に吸引されることを防止するため、収納室の温度も安定する。
【００２８】
請求項１０に記載の発明は、請求項１から請求項９のいずれか一項に記載の構成において、前記送風ファンは回転数を変更することができることとしたものであり、高度な収納室の温度制御を行うことができる。
【００２９】
請求項１１に記載の発明は、請求項１０に記載の構成において、前記風量制御機構は前記送風ファンの回転数に応じて風量を変化させることとしたものであり、ファンの回転数と風量制御機構の動作量を調整することで、より高度な収納室の温度制御を行うことができる。
【００３０】
請求項１２に記載の発明は、請求項１から請求項１１のいずれか一項に記載の構成において、前記送風ファンまたは前記風量制御機構に温度検知センサー及び検知温度に基づいて前記送風ファンを駆動する駆動回路を備え、前記送風ファンまたは前記風量制御機構または前記送風ファンと前記風量制御機構の両者は外部からの制御信号を受ける必要なく自律動作することとしたものであり、配線を減少することができ、またファンの使用数の変更などを行うにあたっても制御基板及び制御ソフトの変更は必要ない。
【００３１】
以下、本発明の実施の形態について、図面を参照しながら説明する。なお、この実施の形態によってこの発明が限定されるものではない。
【００３２】
（実施の形態１）
図１は本発明の実施の形態１の冷蔵庫の側面断面図、図２は図１に示す冷蔵庫の正面断面図である。
【００３３】
本実施の形態の冷蔵庫１は、図１の様に４室の収納室に区画されている。即ち冷蔵庫１は、庫内が４室に区切られ、上から、冷蔵用収納室２、温度切替用収納室３、野菜用収納室４、冷凍用収納室５として機能する。
【００３４】
各収納室２〜５には公知の冷蔵庫と同様に、正面側にそれぞれ扉６や引出し７，８，９が設けられている。また、各収納室２〜５は断熱壁で覆われている。
【００３５】
各収納室２〜５の奥側（裏面側）には、公知の冷蔵庫と同様に発泡スチロールなどの断熱材で形成された冷却風路１０が設けられ、当該冷却風路１０内に冷却器１１が内蔵されている。
【００３６】
冷却器１１は、インバータ圧縮機、凝縮器、膨張弁（図示せず）に接続されて一連の冷凍サイクルを構成するものである。本実施の形態で採用する冷凍サイクルはインバータ圧縮機を採用しており、冷媒の蒸発温度が可変であり、冷却器１１の表面温度を変化させることができる。本実施の形態の冷蔵庫１は冷却器１１の冷却温度と、後述するファンによる送風、及び風量制御機構の動作によって各収納室２〜５の温度を制御する。
【００３７】
前述した冷却風路１０と、各収納室２〜５との間は、収納室の奥壁１２，１３，１４，１５によって仕切られている。そして、この冷却風路１０内の冷却器１１近傍には冷却器ファン１６が設けられている。本実施の形態では冷却器ファン１６は、収納室２、３までは充分な風量を供給することはできないが小型で安価なものを選択している。冷却器ファン１６を小型化することで冷却器１１及び冷却器ファン１６周辺の冷却風路１０の奥行きを減らすことが可能となり、収納室４、５の奥壁１４、１５を更に奥側へ設けることで収納室の容積を広げることも可能となる。また、冷却器ファン１１は冷却器近辺の収納室４、５へは充分な風量を供給できる能力を持ち、収納室４、５にはこの冷却器ファン１１によって冷気を供給する。
【００３８】
そして本実施の形態では、各奥壁１２〜１５に吐出口、及び吸込口が設けられ、このうち奥壁１２、１３の吐出口には小型の送風ファン１７，１８，１９が取り付けられている。冷却器ファン１６の能力だけでは得られなかった収納室２、３への風量は、送風ファン１７〜１９によって補われる。
【００３９】
送風ファン１７〜１９は、それぞれ風量制御機構２０としてダンパー２１，２２，２３を一体化し、個々の送風ファンが動作するときだけそれぞれのダンパーが開く。
【００４０】
送風ファン１７〜１９は冷却風路内の冷風を収納室側に吸引するものであるから、いずれかの送風ファンが回転すると冷却風路内が負圧状態となる。そのため一室の送風ファンが回転し、他の収納室の送風ファンが停止している状態であれば送風ファンが回転していない収納室の空気が冷却風路側に吸引されてしまうことも考えられる。しかし、本発明の実施の形態の冷蔵庫では送風ファン１７〜１９が停止しているときには風量制御機構２０も閉じているため、この現象は発生しない。
【００４１】
ここで、冷却器ファン１６を取り付けずに、各収納室の壁面に取り付けた送風ファン１７〜１９だけで構成した場合を考える。冷却風路の構成が風路抵抗が極めて小さいものであれば全ての収納室へ充分な冷気を供給できるが、一般的に冷却風路１０の構成はある程度風路抵抗が高いものになり、冷却器１１から遠い収納室（冷気の供給が困難な収納室）へは小型の送風ファンだけでは充分に冷気を循環させることができない。
【００４２】
つまり、小型の冷却器ファン１６、及び小型の送風ファン１７〜１９の両者を動作することによって各収納室に冷気を供給することができるものであり、ファンの騒音も小さいものになる。また、複数の小型のファンで構成すれば、ファン単体のコストが安価であることに加えて、騒音対策の必要も無く、大風量且つ強力な静圧発生能力を持つ冷却器ファンを使用した従来の冷蔵庫と比較して安価に構成することができる。
【００４３】
なお送風ファン１７〜１９は必ずしも収納室の奥壁にある必要はないが、この構造は冷却風路１０の厚さを薄く構成することができるという利点がある。もちろん送風ファンは吸込口に取り付けても良い。
【００４４】
また、冷蔵庫収納室２の奥壁１２には、２個の送風ファン１７、１８が設けられている。収納室３には１個の送風ファン１９が設けられている。一収納室あたりの送風ファンの個数は要求される風量、または収納室内の冷気の攪拌のために各収納室の状況によって任意に選択している。
【００４５】
また、送風ファン１７〜１９は回転数を任意に変化させることができる。例えば収納室３が必要とする冷気の供給量が少量であれば、送風ファンは低速で回転させれば良い。これによって騒音と消費電力の低減を行うことができる。
【００４６】
次に送風ファン１７〜１９と風量制御機構２０の一体化構造について説明する。送風ファンと風量制御機構２０の一体化構造は任意であるが、例えば図３〜５に挙げる機構が考えられる。
【００４７】
図３は本発明の実施の形態１の軸流ファンと風量制御機構としてダンパーを一体化した機構の側面断面図である。
【００４８】
送風ファン１７〜１９は軸流ファン３１であり、ダンパー２１〜２３は軸流ファン３１の吐出側に開閉板３２ａ，３２ｂ，３２ｃとして設けられている。開閉板３２ａ〜３２ｃはそれぞれ片側が軸流ファン３１の外枠に取り付けられており、この取り付け軸を中心に開閉する。
【００４９】
開閉板３２ａ〜３２ｃは連結板３３によって連結されており、開閉板３２ａ〜３２ｃは同時に同角度で開閉するように構成されている。
【００５０】
さらに連結板３３の片端には回転板３４が取り付けられ、回転板３４は小型モータ３５によって動作する。つまり、小型モータ３５の動力を、回転板３４から連結板３３へと伝導し、開閉板３２ａ〜３２ｃを開閉させる機構になっている。
【００５１】
なお、駆動源として用いた小型モータ３５は、他にもソレノイドや形状記憶合金などのアクチュエータを用いても良いし、開閉板３２ａ〜３２ｃはファン３１の風圧によって開く構成としても良い。
【００５２】
図４は本発明の実施の形態１のシロッコファンと風量制御機構としてダンパーを一体化した機構の上面断面図である。
【００５３】
送風ファン１７〜１９はシロッコファン４１であり、ダンパー２１〜２３はシロッコファン４１の吐出口に開閉板４２として設けられている。開閉板４２は片側がシロッコファン４１の外枠に取り付けられており、この取り付け軸を中心に開閉する。取り付け軸には弾性力の弱いねじりコイルバネ４３が設けられ、ファンが停止しているときは開閉板４２は常に閉じている様に構成されている。
【００５４】
シロッコファン４１が動作するとシロッコファン４１の吐出口から送風が行われ、開閉板４２への風力がねじりコイルバネ４３による閉じ力を超えると開閉板４２が開く機構になっている。
【００５５】
なお、開閉板４２はシロッコファン４１の風圧によって開く構成としたが、他にも駆動源として小型モータ、ソレノイド、形状記憶合金などのアクチュエータを用いても良い。
【００５６】
図５は本発明の実施の形態１の軸流ファンの吸込み側に風量制御機構としてアイリスシャッター形状のシャッターを一体化した機構を吸込口側から観察した図、図６はアイリスシャッター形状のシャッターの詳細図である。
【００５７】
送風ファン１７〜１９は軸流ファン５１であり、風量制御機構２０は軸流ファン５１の吸込口にアイリスシャッター形状のシャッター５２として設けられている。回転板５３上に複数の作動板５４が設けられ、作動板５４の片端は長穴５５を通してスライド軸５６によって取り付けられ、作動板５４のもう片端は固定板５７上に回転軸５８によって取り付けられている。回転板５３に固定された操作板５９を左に動かすとシャッター５２は開き、操作板５９を右に動かすとシャッター５２は閉じる。操作板５９の動作量によってシャッター５２の開口量を調節することができる。
【００５８】
操作板５９は連結軸６０を通じてソレノイド６１と繋がっている。つまり、ソレノイド６１の動作により、操作板５９が操作されシャッター５２が開閉する機構である。
【００５９】
なお、駆動源として用いたソレノイド６１は、他にも小型モータや形状記憶合金などのアクチュエータを用いても良い。
【００６０】
このように風量制御機構を吸込み側に設けると、吹出し側の風量制御機構による風路抵抗がなくなることで、吐出面からの均一な送風を可能とし且つ吸込み側で風量の調整を行うことができる。
【００６１】
図７は本発明の実施の形態１の送風ファンに温度検知センサー及び駆動回路を組込んだ構成のブロック図である。
【００６２】
送風ファン１７〜１９は温度検知センサー及び駆動回路を組込んだ自律制御ファン７１である。自律制御ファン７１には温度検知センサー７２及び駆動回路７３が組込まれており、温度検知センサー７２の検知温度を駆動回路７３内の温度検出回路７４にて検出し、ドライバ７５によってファンを動作する。検出回路７４は、フィルタ回路、コンパレータ（図示せず）などで構成され、ドライバ７５はトランジスタ（図示せず）などで構成される。
【００６３】
また、この回路によって、送風ファン１７〜１９と共に一体化されたダンパー２１〜２３を動作させることが望ましい。
【００６４】
このような構成を採ることで、送風ファン１７〜１９、及びダンパー２１〜２３は外部からの制御信号を受ける必要なく自律動作することができる。配線は電源供給のみに減らすことができ、またファンの使用数の変更などを行うにあたっても制御基板及び制御ソフトの変更は必要ない。
【００６５】
以上の図３〜７の構成においては、ファンの形状、ファンと風量制御機構との一体化機構、及び駆動源との組合せは任意であり、冷蔵庫のシステムに応じて最も適当な組合せを選択することが望ましい。
【００６６】
以下、本実施の形態の冷蔵庫１による温度制御について説明する。
【００６７】
各収納室２〜５の温度は、それぞれ温度検知センサー（図示せず）、または図７の様に送風ファンに内蔵された温度検知センサーによって監視されている。
【００６８】
例えば収納室３の温度が上昇したとすると、圧縮機を起動して冷却器１１の温度を低下させ、冷却器ファン１６を回転させ、さらに収納室３のダンパー２３を開くと共に送風ファン１９を回転させる。このとき、ダンパー２３の開放と送風ファン１９の動作は同期しており、ダンパーが開放されていない収納室内の空気が流出しないようになっている。
【００６９】
その結果、送風ファン１９の吸込み側が負圧となり、冷却風路１０側の圧力が下がる。そして収納室３から、吸込口を設けた風路（図示せず）を経て冷却器１１を通過して温度が低下され、冷気が送風ファン１９から収納室３に吹き込まれる。このとき収納室２のダンパー２１、２２は閉じられており収納室１内の空気が冷却風路１０に引き込まれることはない。
【００７０】
また、収納室２、３の両者の温度が設定温度を超え、冷気の供給が必要となった場合は、それぞれのダンパー２１〜２３を開き送風ファン１７、１８、１９を回転させても良いが、複数の収納室に同時に冷気を供給することでそれぞれの収納室への風量が不足する可能性があるため、設定温度との差異が大きい収納室から優先的に冷気の供給を行う。
【００７１】
もし、収納室４、５の温度が設定温度を超えた場合はダンパー２１〜２３を閉じ、送風ファン１７〜１９を停止させた状態で冷却器ファン１６のみを回転させて冷気を供給する。
【００７２】
ここで、本実施の形態では収納室４、５には送風ファン、及びダンパーを設けていないが、これは収納室４、５が冷却器１１から近く、送風ファン１７〜１９が回転していたとしても冷却器ファン１１の送風によって収納室内の空気が冷却風路１０に引き込まれることがないからである。冷蔵庫の構成によっては収納室４、５にダンパーを取り付ける必要が生じる。
【００７３】
以上の様に、本実施の形態の冷蔵庫１は、小型のファンを採用することができ、ファンが発生する騒音も小さい。よって大風量且つ強力な静圧発生能力を持つ冷却器ファンを使用した従来の冷蔵庫と比較して安価に構成することができる。また、それぞれの収納室に最適な風量を供給することができる。
【００７４】
また、複数の風量制御機構を有し、各収納室と冷却風路の間の連通を断続可能にすることによって、冷気を送風する必要のない収納室を風量制御機構によって閉鎖することで、収納室の空気が冷却風路側に吸引されることを防止するため、収納室の温度も安定する。
【産業上の利用可能性】
【００７５】
本発明は、一般的な家庭用、その他の用途の冷蔵庫に利用することができる。また、エアコン、車載用など空調関連の製品にも応用することができる。
【図面の簡単な説明】
【００７６】
【図１】本発明の実施の形態１の冷蔵庫の側面断面図
【図２】本発明の実施の形態１の冷蔵庫の正面断面図
【図３】本発明の実施の形態１の軸流ファンと風量制御機構としてダンパーを一体化した機構の側面断面図
【図４】本発明の実施の形態１のシロッコファンと風量制御機構としてダンパーを一体化した機構の上面断面図
【図５】本発明の実施の形態１の軸流ファンの吸込み側に風量制御機構としてアイリスシャッター形状のシャッターを一体化した機構を吸込口側から観察した図
【図６】本発明の実施の形態１のアイリスシャッター形状のシャッターの詳細図
【図７】本発明の実施の形態１の送風ファンに温度検知センサー及び駆動回路を組込んだ構成のブロック図
【図８】従来の冷蔵庫の側面断面図
【符号の説明】
【００７７】
１    冷蔵庫
２    冷蔵用収納室
３    温度切替用収納室
４    野菜用収納室
５    冷凍用収納室
６    扉
７，８，９  引き出し
１０  冷却風路
１１  冷却器
１２，１３，１４，１５  奥壁
１６  冷却器ファン
１７，１８，１９  送風ファン
２０  風量制御機構
２１，２２，２３  ダンパー
３１  軸流ファン
３２ａ，３２ｂ，３２ｃ  開閉板
３３  連結板
３４  回転板
３５  小型モータ
４１  シロッコファン
４２  開閉板
４３  ねじりコイルバネ
５１  軸流ファン
５２  シャッター
５３  回転板
５４  作動板
５５  長穴
５６  スライド軸
５７  固定版
５８  回転軸
５９  操作板
６０  連結軸
６１  ソレノイド
７１  自律制御ファン
７２  温度検知センサー
７３  駆動回路
７４  検出回路
７５  ドライバ
【図１】
2006300472.tif 000003
【図２】
2006300472.tif 000004
【図３】
2006300472.tif 000005
【図４】
2006300472.tif 000006
【図５】
2006300472.tif 000007
【図６】
2006300472.tif 000008
【図７】
2006300472.tif 000009
【図８】
2006300472.tif 000010